(57)【要約】      （修正有）【課題】サポート部材の動作の自由度が向上した容器ホルダを提供する。【解決手段】容器ホルダのケース１におけるサポート開口１５の両側部に一対の支持壁２を設け、各々の支持壁２に、サポート開口１５から離れる方向に突起するバネ支持部２１ａ、２１ｂと、凹状をなしバネ支持部２１ａ、２１ｂよりも上側に位置する上側ストッパ溝２２ａ、２２ｂと、凹状をなしバネ支持部２１ａ、２１ｂよりも下側に位置する上側ストッパ溝２２ａ、２２ｂと、をそれぞれ設け、上側ストッパ溝２２ａ、２２ｂにはサポート部材３の上側ストッパ突起３１ａ、３１ｂが脱着可能に係止するようにし、下側ストッパ溝２３ａ、２３ｂにはサポート部材３の下側ストッパ突起３２ａ、３２ｂが脱着可能に係止するようにし、さらにダブルトーションバネからなるバネ部材５をバネ支持部２１ａ、２１ｂに枢支するとともに、サポート部材３を支持壁２とバネ部材５との間に挟持する。【選択図】図１
2016078585.tif 000002
【特許請求の範囲】
【請求項１】
上方に開口する収容空間と、前記収容空間の少なくとも一部を区画する側壁と、前記側壁に設けられたサポート開口と、を有するケースと、
一部が前記サポート開口を経て前記収容空間に露出する展開位置と、前記収容空間への露出量が前記展開位置における前記収容空間への露出量よりも小さい退避位置と、の間を状態変化するサポート部材と、
前記サポート部材を前記展開位置に付勢するバネ部材と、を有し、
前記ケースは、前記サポート開口の両側部に、前記側壁の外面に立設された一対の支持壁を有し、
各々の前記支持壁は、対向する前記支持壁の各背面に突設されたバネ支持部と、凹状をなし前記バネ支持部よりも上側に位置する上側ストッパ溝と、凹状をなし前記バネ支持部よりも下側に位置する下側ストッパ溝と、をそれぞれ有し、
前記バネ部材は、コイル部と２つの脚部とを有するトーションバネが２つ並列するとともに各トーションバネにおける一方の脚部同士が連結脚部により連結されてなるダブルトーションバネからなり、各トーションバネの各々のコイル部は前記バネ支持部に枢支され、
前記サポート部材は、前記支持壁と前記バネ部材との間に挟持され、一対の前記上側ストッパ溝に脱着可能に係止する一対の上側ストッパ突起と、一対の前記下側ストッパ溝に脱着可能に係止する一対の下側ストッパ突起と、を有する、容器ホルダ。
【請求項２】
前記サポート部材は、一対の前記支持壁にそれぞれ対面する一対のサポート壁面を持ち、前記上側ストッパ突起および前記下側ストッパ突起は、各々の前記サポート壁面に立設されている、請求項１に記載の容器ホルダ。
【発明の詳細な説明】
【技術分野】
【０００１】
本発明は容器を保持するための容器ホルダに関する。
【背景技術】
【０００２】
飲料の容器には大径のものから小径のものまで種々の形状のものがある。例えば、大径の容器としてはペットボトル型の容器や大径の紙コップ等を挙げることができ、小径の容器としては缶型の容器や小径の紙コップを挙げることができる。
【０００３】
一般的な容器ホルダは、収容空間を持つケースを持つ。収容空間は、一般には、ケースの側壁で区画され、容器を収容可能である。収容空間に収容された容器の側面は、ケースの側壁によって支持できる。ところで、大径の容器を収容するための大きな収容空間に小径の容器を収容する場合には、ケースの側壁と容器とが大きく離間するために、容器を安定して保持し難い問題がある。このため近年では、サポート部材を容器ホルダに設け、当該サポート部材によって小径の容器の側面を支持する技術が提案されている（例えば、特許文献１参照）。
【０００４】
サポート部材としては、ケースに対して位置変化可能なものが挙げられる。具体的には、ケースの側壁に貫通穴状のサポート開口を設ける。そしてサポート部材を、当該サポート開口を経て収容空間に出入り可能であるように、ケースに枢支する。さらに、巻きバネ等の付勢部材によって、当該サポート部材を収容空間に突出する方向に付勢する。ケースに枢支され、かつ、付勢部材によって付勢されたサポート部材は、ケースに対して回動して収容空間に突出する。そして、収容空間の内部において容器の側面に圧接し、容器を支持する。このため、この種の容器ホルダによると小径の容器を安定して保持することができる。以下、必要に応じて、容器ホルダの高さ方向と直交する方向を容器ホルダの幅方向と呼ぶ。
ところで、特許文献１に紹介されているような容器ホルダ装置によると、サポート部材はケースに枢支されて回動するため、動作の自由度が比較的小さい問題があった。サポート部材の動作の自由度が小さければ、容器ホルダは種々の形状の容器を安定して支持し難い。したがって、サポート部材の動作の自由度が向上した容器ホルダが望まれていた。
【先行技術文献】
【特許文献】
【０００５】
【特許文献１】特開２００６−２０５８２７号公報
【発明の概要】
【発明が解決しようとする課題】
【０００６】
本発明は上記事情に鑑みてなされたものであり、サポート部材の動作の自由度が向上した容器ホルダを提供することを目的とする。
【課題を解決するための手段】
【０００７】
上記課題を解決する本発明の容器ホルダは、
上方に開口する収容空間と、前記収容空間の少なくとも一部を区画する側壁と、前記側壁に設けられたサポート開口と、を有するケースと、
一部が前記サポート開口を経て前記収容空間に露出する展開位置と、前記収容空間への露出量が前記展開位置における前記収容空間への露出量よりも小さい退避位置と、の間を状態変化するサポート部材と、
前記サポート部材を前記展開位置に付勢するバネ部材と、を有し、
前記ケースは、前記サポート開口の両側部に、前記側壁の外面に立設された一対の支持壁を有し、
各々の前記支持壁は、対向する前記支持壁の各背面に突設されたバネ支持部と、凹状をなし前記バネ支持部よりも上側に位置する上側ストッパ溝と、凹状をなし前記バネ支持部よりも下側に位置する下側ストッパ溝と、をそれぞれ有し、
前記バネ部材は、コイル部と２つの脚部とを有するトーションバネが２つ並列するとともに各トーションバネにおける一方の脚部同士が連結脚部により連結されてなるダブルトーションバネからなり、各トーションバネの各々のコイル部は前記バネ支持部に枢支され、
前記サポート部材は、前記支持壁と前記バネ部材との間に挟持され、一対の前記上側ストッパ溝に脱着可能に係止する一対の上側ストッパ突起と、一対の前記下側ストッパ溝に脱着可能に係止する一対の下側ストッパ突起と、を有するものである。
【発明の効果】
【０００８】
本発明の容器ホルダは、サポート部材の動作の自由度が向上したものである。
【図面の簡単な説明】
【０００９】
【図１】実施例の容器ホルダを模式的に表す分解斜視図である。
【図２】実施例の容器ホルダの動作を説明する説明図である。
【図３】実施例の容器ホルダの動作を説明する説明図である。
【図４】実施例の容器ホルダの動作を説明する説明図である。
【図５】実施例の容器ホルダの動作を説明する説明図である。
【発明を実施するための形態】
【００１０】
以下、具体例を挙げて本発明の容器ホルダを説明する。以下、必要に応じて、収容空間におけるサポート部材の露出量が最大である場合を、「サポート部材が展開位置にある」と呼ぶ。また、サポート部材がそれ以外の状態である場合、つまり、収容空間におけるサポート部材の露出量が最大でない場合を「サポート部材が退避位置にある」と呼ぶ。また、サポート部材が展開位置に配されている容器ホルダの状態を「容器ホルダの展開状態」と呼び、サポート部材が退避位置に配置されている容器ホルダの状態を「容器ホルダの退避状態」と呼ぶ。容器ホルダは展開状態と退避状態との間を状態変化し得る。また、実施例の容器ホルダは後述する３種の退避状態をとることができ、当該３種の退避状態の間を状態変化し得る。
（実施例）
【００１１】
実施例の容器ホルダは、車両のコンソールボックスに配設されるドリンクホルダである。実施例の容器ホルダを模式的に表す分解斜視図を図１に示す。実施例の容器ホルダの動作を模式的に表す説明図を図２〜図５に示す。より詳しくは、図２において、実施例の容器ホルダは展開位置にあり、小径の容器を収容かつ支持する。図３において、実施例の容器ホルダは後述する第１の退避状態にある。図４において、実施例の容器ホルダは後述する第２の退避状態にある。図５において、実施例の容器ホルダは後述する第３の退避状態にある。以下、実施例において上、下、左、右とは図１に示す上、下、左、右を指す。
【００１２】
図１に示すように、実施例の容器ホルダは、ケース１、サポート部材３およびバネ部材５を有する。
【００１３】
ケース１は有底の略円筒状をなすケース本体１０と、ケース本体１０の側壁１１の外面に立設されている３対の支持壁２とを有する。ケース本体１０は、上下に延びる略円筒状をなす側壁１１と、側壁１１の下端を覆う略平板状の底壁１２と、を有する。ケース本体１０の内部には、側壁１１および底壁１２に区画された収容空間１９が形成されている。ケース本体１０の側壁１１には、３つのサポート開口１５が設けられている。各サポート開口１５は長手方向を上下に向けた略矩形の貫通孔状をなす。各サポート開口１５は互いに離間し、ケース本体１０の周方向に沿って略均等に配置されている。各サポート開口１５の両側部には、上下方向に延びる一対の支持壁２が設けられている。サポート開口１５、一対の支持壁２、１つのサポート部材３および１つのバネ部材５はサポート構造部８を構成する。
【００１４】
図示していないが、実施例の容器ホルダはサポート部材３およびバネ部材５を３つずつ有する。これら３つのサポート部材３および３つのバネ部材５は、図示した３つのサポート開口１５および３対の支持壁２とともに、３つのサポート構造部８を構成している。このうち図１中で最も後側に位置するサポート構造部８を例に挙げて、サポート構造部８について詳説する。
【００１５】
サポート開口１５の周縁部には、一対の支持壁２が設けられている。一対の支持壁２は、一対のバネ支持部２１、一対の上側ストッパ溝２２および一対の下側ストッパ溝２３を有する。
【００１６】
具体的には、サポート開口１５の左側部には、支持壁２ａが立設されている。支持壁２ａはサポート開口１５の長手方向つまり上下方向に沿って延びるとともに、側壁１１の外周面から後方に向けて突起している。支持壁２ａの左壁面には左方に突起する柱状のバネ支持部２１ａが設けられている。支持壁２ａの左壁面は支持壁２ａのなかでサポート開口１５に背向する壁面であり、バネ支持部２１ａはこの左壁面からサポート開口１５に背向する方向、換言するとサポート開口１５から離れる方向に向けて突起している。支持壁２ａには上側ストッパ溝２２ａおよび下側ストッパ溝２３ａが設けられている。上側ストッパ溝２２ａはバネ支持部２１ａの上方に位置し、下側ストッパ溝２３ａはバネ支持部２１ｂの下方に位置している。上側ストッパ溝２２ａおよび下側ストッパ溝２３ａは、支持壁２ａの端面に設けられ、支持壁２ａの厚さ方向に延びるとともに後方に開口する溝状をなす。サポート開口１５の右側部には、支持壁２ａと同様の支持壁２ｂが設けられている。支持壁２ｂは、支持壁２ａと同様に、バネ支持部２１ｂ、上側ストッパ溝２２ｂおよび下側ストッパ溝２３ｂが設けられている。支持壁２ａおよび支持壁２ｂは対をなし、左右対称である。支持壁２ａ、２ｂは上下方向に延びるとともにケース本体１０の径方向外方に向けて突起していると言い換えることもできる。また、一対のバネ支持部２１ａ、２１ｂは、対向する支持壁２ａ、２ｂの各背面にそれぞれ突設されている。
【００１７】
サポート部材３は、略三角形の板状をなすサポート本体部３０と、当該サポート本体部３０に一体に設けられている一対の上側ストッパ突起３１および一対の下側ストッパ突起３２を有する。サポート本体部３０は頂部３５を前方に向けている。サポート本体部３０のなかで支持壁２ａに対面する面、つまりサポート本体部３０の左面をサポート壁面３０ａと呼ぶ。また、サポート本体部３０のなかで支持壁２ｂに対面する面、つまりサポート本体部３０の右面をサポート壁面３０ｂと呼ぶ。サポート壁面３０ａには、上側ストッパ突起３１ａおよび下側ストッパ突起３２ａが設けられている。上側ストッパ突起３１ａはサポート壁面３０ａの上側部分に立設され、下側ストッパ突起３２ａはサポート壁面３０ａの下側部分に立設されている。上側ストッパ突起３１ａおよび下側ストッパ突起３２ａは、左方つまりサポート壁面３０ａから離れる方向に突起している。他方、サポート壁面３０ｂには、上側ストッパ突起３１ｂおよび下側ストッパ突起３２ｂが設けられている。上側ストッパ突起３１ｂはサポート壁面３０ｂの上側部分に立設され、下側ストッパ突起３２ｂはサポート壁面３０ｂの下側部分に立設されている。上側ストッパ突起３１ｂおよび下側ストッパ突起３２ｂは、右方つまりサポート壁面３０ｂから離れる方向に突起している。つまり、サポート部材３は左右対称形状をなしている。なお、サポート本体部３０の内部は、軽量化のため中空となっている。
【００１８】
バネ部材５は、２つのトーションバネ５０ａ、５０ｂが連結脚部５０ｃにより連結されてなるダブルトーションバネからなる。各々のトーションバネ５０ａ、５０ｂは略同形状であり、各々、コイル部５１と当該コイル部５１の両端から各々延びる２つの脚部５２、５３を有する。各トーションバネ５０ａ、５０ｂは一方の脚部５２ａ、５２ｂを上方に向け、他方の脚部５３ａ、５３ｂを下方に向けている。２つのトーションバネ５０ａ、５０ｂは左右対称に並列し、２つのトーションバネ５０ａ、５０ｂにおける上側の脚部５２ａ、５２ｂの上端同士は、連結脚部５０ｃによって連結されている。２つのコイル部５１ａ、５１ｂは略同軸的に配置され、バネ部材５はコイル部５１ａ、５１ｂを中心として、回転可能かつ、弾性的にねじり変形可能である。
【００１９】
バネ部材５およびサポート部材３をケース１に装着する作業手順を以下に説明する。
【００２０】
先ず、作業者は、図１に示すように、ケース本体１０の外側に配置したサポート部材３をサポート開口１５に対面させ、サポート部材３を頂部３５からサポート開口１５に差し込む。サポート部材３は、上側ストッパ突起３１ａ、３１ｂがそれぞれ上側ストッパ溝２２ａ、２２ｂに当接し、下側ストッパ突起３２ａ、３２ｂがそれぞれ下側ストッパ溝２３ａ、２３ｂに当接する位置にまで差し込まれる。作業者は、一方の手でサポート部材３をその位置に固定したままで、他方の手でバネ部材５をサポート部材３の外側に被せる。このとき、バネ部材５の上側の脚部５２ａ、５２ｂを上側ストッパ突起３１ａ、３１ｂにあてがい、下側の脚部５３ａ、５３ｂを下側ストッパ突起３２ａ、３２ｂにあてがう。そしてこの状態で、バネ部材５を弾性変形させつつ、バネ部材５のコイル部５１ａ、５１ｂをバネ支持部２１ａ、２１ｂにそれぞれ装着する。作業者が手を離すと、バネ部材５が弾性により元の形状に戻ろうとする。この付勢力によって、バネ部材５はサポート部材３をサポート開口１５に向けて付勢し、かつ、サポート部材３はバネ部材５と支持壁２（より具体的には、支持壁２の上側ストッパ溝２２および下側ストッパ溝２３）との間に挟持される。こうすることで、治具等を必要とせず、簡単に、バネ部材５およびサポート部材３をケース１に装着できる。
【００２１】
実施例の容器ホルダの動作を以下に説明する。
【００２２】
収容空間１９に容器を保持していないとき、或いは、サポート部材３に干渉しない程度の小径の容器を収容空間１９に保持しているときには、容器ホルダは図２に示す展開状態にある。このとき、サポート本体部３０の頂部３５はサポート開口１５を経て収容空間１９に大きく突出し、サポート部材３は収容空間１９における露出量が最大となる展開位置に配置される。展開位置において、サポート部材３の上側ストッパ突起３１は上側ストッパ溝２２に係止し、下側ストッパ突起３２は下側ストッパ溝２３に係止する。
【００２３】
収容空間１９に大径の容器を差し込むと、当該大径の容器によってサポート本体部３０の頂部３５が下方かつ外方に押圧される。したがってこのときサポート部材３は、バネ部材５の付勢力に抗して、下向しつつ収容空間１９の外側に向けて位置変化する。このとき、サポート部材３の下側ストッパ突起３２と下側ストッパ溝２３との係止は解除されるが、サポート部材３の上側ストッパ突起３１と上側ストッパ溝２２との係止状態は維持されたままである。したがって、このときサポート部材３は、あたかも上側ストッパ突起３１を中心として回動するかの如く動作し、図３に示す第１の退避位置に配置される。このとき、バネ部材５には付勢力が蓄積されたままであるため、サポート部材３はバネ部材５の付勢力によって収容空間１９、つまり、大径の容器に向けて付勢される。したがって、第１の退避位置において、サポート部材３は大径の容器の側面を支持する。したがって、このとき大径の容器は容器ホルダに安定して収容されかつ支持される。
【００２４】
容器ホルダが図３に示す第１の退避状態で大径の容器を収容かつ支持しているときに、当該大径の容器を収容空間１９から引き抜くと、サポート本体部３０の頂部３５が大径の容器に伴って上方に引き摺られる。したがって、サポート部材３は上向して図４に示す第２の退避位置に配置される。つまりサポート部材３は、図３に示す第１の退避状態から図４に示す第２の退避状態にまで状態変化する。この状態変化の初期においては、図３に示すように、サポート部材３の下側ストッパ突起３２と下側ストッパ溝２３との係止は解除され、サポート部材３の上側ストッパ突起３１と上側ストッパ溝２２とは係止している。サポート部材３が上向すると、下側ストッパ突起３２と下側ストッパ溝２３との係止が解除されたまま、上側ストッパ突起３１と上側ストッパ溝２２との係止もまた解除される。さらに状態変化が進行すると、上側ストッパ突起３１と上側ストッパ溝２２との係止が解除されたまま、下側ストッパ突起３２と下側ストッパ溝２３とが係止する。そして、サポート部材３は、あたかも下側ストッパ突起３２を中心として回動するかの如く動作して、第２の退避位置に配置される。
【００２５】
その後、大径の容器が収容空間１９の外部にまで移動すると、大径の容器による押圧力がなくなるため、サポート部材３はバネ部材５の付勢力によって収容空間１９に向けて押圧されて図２に示す展開位置に再度配置される。
【００２６】
また、収容空間１９にさらに大径の容器を収容保持する際には、サポート部材３はさらに収容空間１９の外部に向けて押圧されて大きく後退し、図５に示す第３の退避位置に配置される。第３の退避位置においては、上側ストッパ突起３１と上側ストッパ溝２２との係止が解除され、かつ、下側ストッパ突起３２と下側ストッパ溝２３との係止が解除される。こうすることで、上側ストッパ突起３１、下側ストッパ突起３２、上側ストッパ溝２２、および下側ストッパ溝２３による規制無く、サポート部材３はさらに自在に動作し得る。なお、このときにもバネ部材５はサポート部材３を展開位置に向けて付勢しているため、大径の容器を安定して保持できる。また、大径の容器を収容空間１９から引き抜けば、サポート部材３はバネ部材５の付勢力によって再度展開位置に配置される。
【００２７】
このように、サポート部材３がサポート開口１５を経て収容空間１９に出入可能であり、かつ、サポート部材３がバネ部材５によって展開位置に向けて付勢されているため、実施例の容器ホルダは容器の形状を問わず容器を安定して収容保持し得る。
【００２８】
また、サポート部材３がケース１に対して自在に位置変化し得ることで、実施例の容器ホルダに容器を収容する操作は容易であり、かつ、実施例の容器ホルダから容器を抜き出す操作もまた容易である。つまり、実施例の容器ホルダにおけるサポート部材３は、ケース１に対して脱着可能に係止し得るだけであり、ケース１に支持されているのではない。つまり、バネ部材５の付勢力によって、上側ストッパ突起３１、下側ストッパ突起３２がそれぞれ上側ストッパ溝２２、下側ストッパ溝２３に押しつけられているだけであり、上側ストッパ突起３１および／または下側ストッパ突起３２がケース１に軸支されているのではない。したがって、サポート部材３はケース１に対して様々な角度や位置をとり得る。このため、例えば容器の表面に凹凸があり、この凹凸にサポート部材３が係止してしまった場合等にも、係止解除可能な位置にまでサポート部材３が位置変化し、凹凸とサポート部材３との係止状態が容易に解除される。
【００２９】
また、上側ストッパ突起３１、下側ストッパ突起３２、上側ストッパ溝２２、および下側ストッパ溝２３は、サポート部材３がサポート開口１５を通過して収容空間１９の内部に入り込んでしまわないようにサポート部材３を規制する機能、つまりサポート部材３に対するストッパとしての機能を有するだけでなく、サポート部材３の動作をある程度規制する機能、つまりサポート部材３に対するガイドとしての機能も有する。つまり、上述したようにサポート部材３は、下向するときには上側ストッパ突起３１と上側ストッパ溝２２との係止部を中心として回動するかの如く動作し、上向するときには下側ストッパ突起３２と下側ストッパ溝２３との係止部を中心として回動するかの如く動作する。このため、サポート部材３は安定して動作する。
【００３０】
また、サポート部材３の見掛けの回動中心は、互いに対称配置されている一対の上側ストッパ突起３１ａ、３１ｂ、および、互いに対称配置されている一対の下側ストッパ突起３２ａ、３２ｂであるため、サポート部材３は安定して動作する。換言すると、互いに対称配置されている一対の上側ストッパ突起３１ａ、３１ｂ、および一対の下側ストッパ突起３２ａ、３２ｂは、展開位置と退避位置との間でのサポート部材３の姿勢の安定に寄与する。
【００３１】
さらに、上述したように、バネ部材５およびサポート部材３をケース１に装着する作業は非常に容易であり、実施例の容器ホルダは容易に製造し得る。これは、上側ストッパ突起３１、下側ストッパ突起３２、上側ストッパ溝２２、下側ストッパ溝２３、およびバネ支持部２１が何れもサポート開口１５の外側に配置されるためである。
【００３２】
例えば、容器ホルダ装置が一対の支持壁２ａ、２ｂに架け渡される回動軸を有し、サポート部材３がこの回動軸に枢支される場合には、サポート部材３に回動軸を挿通するとともにこの回動軸を支持壁２ａ、２ｂに架け渡す作業が必要になる。バネ部材５を支持するためのバネ支持部２１が一対の支持壁２ａ、２ｂの間に架け渡される場合にもまた、バネ部材５にバネ支持部２１を挿通し、さらに、バネ部材５に挿通したバネ支持部２１を支持壁２ａ、２ｂに架け渡す作業が必要になる。これらの作業は煩雑であり、作業者に大きな負担を強いる。
【００３３】
本発明の容器ホルダ装置では、図１に示すように、上側ストッパ突起３１ａ、３１ｂおよび下側ストッパ突起３２ａ、３２ｂをサポート部材３に設けている。また、支持壁２ａ、２ｂには凹状の上側ストッパ溝２２ａ、２２ｂおよび下側ストッパ溝２３ａ、２３ｂを設け、上側ストッパ突起３１ａ、３１ｂと上側ストッパ溝２２ａ、２２ｂとをサポート開口１５の外部で係止させている。さらに、下側ストッパ突起３２ａ、３２ｂと下側ストッパ溝２３ａ、２３ｂとをサポート開口１５の外部で係止させている。このように、各種の係止部をサポート開口の外側に配置したことで、１動作でサポート部材３をケース１に装着できる。さらに、突起状のバネ支持部２１ａ、２１ｂを支持壁２に設けるとともに、バネ支持部２１ａ、２１ｂの突出方向をサポート開口１５に干渉しない方向にしたことによって、ケース１に装着したサポート部材３の外側にバネ部材５を１動作で装着できる。したがって、本発明の容器ホルダによると、上記した煩雑な作業を要せずに、わずか２動作でバネ部材５およびサポート部材３をケース１に装着することができる。つまり本発明の容器ホルダは容易に製造し得る。
【００３４】
さらに、上側ストッパ突起３１ａ、３１ｂおよび下側ストッパ突起３２ａ、３２ｂを各々、支持壁２ａ、２ｂの背面に対面するサポート部材３のサポート壁面３０ａ、３０ｂに立設したことで、サポート部材３の構造を単純化できるとともに、支持壁２ａ、２ｂに対するサポート部材３の装着作業をより容易にできる。
【００３５】
なお、本発明の容器ホルダにおいては、図５に示すようにサポート部材３が後退したときにも、バネ支持部２１とサポート部材３とが干渉することがない。このため、サポート部材３を大きく後退させることができ、サポート部材３の動作の自由度はさらに向上する。これは、突起状のバネ支持部２１ａ、２１ｂを支持壁２ａ、２ｂの各背面に設け、バネ支持部２１ａ、２１ｂの突出方向をサポート開口１５に干渉しない方向にしたことによる。
（その他）
【００３６】
本発明は、上記し且つ図面に示した実施形態にのみ限定されるものではなく、要旨を逸脱しない範囲内で適宜変更して実施できる。また、実施形態に示した各構成要素は、それぞれ任意に抽出し組み合わせて実施できる。
【産業上の利用可能性】
【００３７】
本発明の容器ホルダの用途は特に限定されず、様々な装置や備品等に配設できる。例えば、車両用内装部材として車両のコンソールボックス、インストルメントパネル等に配設しても良いし、或いは、備品用部材として劇場用の椅子や各種の家具、調度品に配設しても良い。
【符号の説明】
【００３８】
１：ケース                                ２、２ａ、２ｂ：支持壁
３：サポート部材                          ５：バネ部材
１１：側壁                                １５：サポート開口
１９：収容空間                            ２１、２１ａ、２１ｂ：バネ支持部
２２、２２ａ、２２ｂ：上側ストッパ溝      ２３、２３ａ、２３ｂ：下側ストッパ溝
３０ａ、３０ｂ：サポート壁面              ３１、３１ａ、３１ｂ：上側ストッパ突起
３２、３２ａ、３２ｂ：下側ストッパ突起    ５０、５０ａ、５０ｂ：トーションバネ
５０ｃ：連結脚部                          ５１、５１ａ、５１ｂ：コイル部
５２、５３、５２ａ、５２ｂ、５３ａ、５３ｂ：脚部
【図１】
2016078585.tif 000003
【図２】
2016078585.tif 000004
【図３】
2016078585.tif 000005
【図４】
2016078585.tif 000006
【図５】
2016078585.tif 000007